【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
複数の画像ファイルから得られる縮小画像を並べて出力するインデクス出力を行うことが可能な画像出力装置であって、
インデクス出力の対象となる複数の画像ファイルのうち、複数の画像データを含む第１の種類の画像ファイルに対して適用される、インデクス出力のための設定情報を記憶する設定情報記憶手段と、
インデクス出力の対象となる画像ファイルが前記第１の種類の画像ファイルである場合、当該画像ファイルに含まれる前記複数の画像データから、前記設定情報に基づいて特定される画像データを選択する選択手段と、
前記選択手段が選択した画像データを含む複数の画像データに基づいてインデクス出力を行う出力手段と、を備えることを特徴とする画像出力装置。
【請求項２】
前記選択手段は前記設定情報に基づいて前記第１の種類の画像ファイルから特定の情報が付加された画像データを選択することを特徴とする、請求項１に記載の画像出力装置。
【請求項３】
前記設定情報は前記特定の情報を含むことを特徴とする、請求項２に記載の画像出力装置。
【請求項４】
前記特定の情報は、前記第１の種類の画像ファイルに含まれる複数の画像データのうちの、代表となる画像データを示す情報であることを特徴とする、請求項３に記載の画像出力装置。
【請求項５】
前記特定の情報は、前記第１の種類の画像ファイルに含まれる複数の画像データのうちの、先頭の画像データを示す情報であることを特徴とする、請求項３に記載の画像出力装置。
【請求項６】
前記第１の種類の画像ファイルに含まれる複数の画像データの何れにも前記設定情報に含まれる特定の情報が付加されていない場合、前記選択手段は、前記複数の画像データから、先頭の画像データを選択することを特徴とする、請求項３に記載の画像出力装置。
【請求項７】
前記複数の画像ファイルが、前記第１の種類の画像ファイルとそれ以外の種類の画像ファイルとを含む場合、前記出力手段は、前記第１の種類の画像ファイルに基づく画像と、それ以外の種類の画像ファイルに基づく画像とを区別してインデクス出力することを特徴とする、請求項１乃至６のいずれか１項に記載の画像出力装置。
【請求項８】
前記出力手段は、前記第１の種類の画像ファイルに基づく画像とそれ以外の種類の画像ファイルに基づく画像とを区別する画像を付加してインデクス出力することを特徴とする、請求項７に記載の画像出力装置。
【請求項９】
前記出力手段は、前記第１の種類の画像ファイルに基づく画像の周囲に枠を形成する画像を付加することで前記第１の種類以外の画像ファイルと区別することを特徴とする、請求項８に記載の画像出力装置。
【請求項１０】
操作画面を表示するための表示部を含み、ユーザによる操作指示の入力を受け付ける操作部を更に備え、
前記出力手段によるインデクス出力は、前記選択手段が選択した画像データを含む複数の画像データに基づいて前記表示部へ表示を行うことであることを特徴とする、請求項１乃至９のいずれか１項に記載の画像出力装置。
【請求項１１】
前記出力手段が前記表示部へインデクス出力を行った後、前記操作部を介してユーザから前記設定情報の内容を変更する指示を受け付けたことに基づいて前記設定情報の内容を変更する変更手段を更に備え、
前記出力手段は前記変更手段により変更された前記設定情報に基づいて、再度インデクス出力を行うことを特徴とする請求項１０に記載の画像出力装置。
【請求項１２】
前記選択手段は前記変更手段により変更された前記設定情報に基づいて、前記第１の種類の画像ファイルに含まれる複数の画像データから、前記出力手段が再度インデクス出力するための画像データを変更することを特徴とする、請求項１１に記載の画像出力装置。
【請求項１３】
前記出力手段は前記選択手段が選択した画像データを含む複数の画像データに基づいて用紙上に印刷出力することを特徴とする、請求項１乃至９のいずれか１項に記載の画像出力装置。
【請求項１４】
前記出力手段は、前記インデクス出力における各縮小画像のそれぞれに対し、チェック欄を示す画像を付加して印刷出力することを特徴とする、請求項１３に記載の画像出力装置。
【請求項１５】
原稿を読み取る原稿読取手段を更に備え、
前記原稿読取手段が読み取った前記インデクス出力された用紙から、前記チェック欄にチェック記入がなされた欄に対応する画像を特定し、当該特定した画像を印刷出力することを特徴とする、請求項１４に記載の画像出力装置。
【請求項１６】
複数の画像ファイルから得られる縮小画像を並べて出力するインデクス出力を行うことが可能な画像出力装置であって、
インデクス出力の対象となる画像ファイルが複数の画像データを含む第１の種類の画像ファイルである場合、前記複数の画像データ間の関係を決定する決定手段と、
前記決定手段が決定した前記複数の画像データ間の関係を識別することが可能な態様で前記画像データを含む複数の画像データに基づいてインデクス出力を行う出力手段と、を備えることを特徴とする画像出力装置。
【請求項１７】
前記決定手段が決定した前記複数の画像データ間の関係に基づいて、前記出力手段は当該関係を示す画像を付加したインデクス出力を行うことを特徴とする請求項１６に記載の画像出力装置。
【請求項１８】
前記決定手段が前記複数の画像データ間に親子関係があると決定した場合には、前記出力手段は当該複数の画像データ間の親子関係を示す画像を付加したインデクス出力を行うことを特徴とする請求項１７に記載の画像出力装置。
【請求項１９】
前記決定手段が前記複数の画像データの各々がパノラマ画像の一部を構成する画像データであると決定した場合には、当該複数の画像データの属性情報に含まれる、画像データの配置位置を示す情報に従って当該複数の画像データに基づく縮小画像を配置してインデクス出力することを特徴とする、請求項１６に記載の画像出力装置。
【請求項２０】
複数の画像ファイルから得られる縮小画像を並べて出力するインデクス出力を行うことが可能であり、インデクス出力の対象となる複数の画像ファイルのうち、複数の画像データを含む第１の種類の画像ファイルに対して適用される、インデクス出力のための設定情報を記憶する設定情報記憶手段を有する画像出力装置における画像出力方法であって、
インデクス出力の対象となる画像ファイルが前記第１の種類の画像ファイルである場合、当該画像ファイルに含まれる前記複数の画像データから、前記設定情報に基づいて特定される画像データを選択する選択工程と、
前記選択工程で選択された画像データを含む複数の画像データに基づいてインデクス出力を行う出力工程と、を備えることを特徴とする画像出力方法。
【請求項２１】
複数の画像ファイルから得られる縮小画像を並べて出力するインデクス出力を行うことが可能な画像出力装置における画像出力方法であって、
インデクス出力の対象となる画像ファイルが複数の画像データを含む第１の種類の画像ファイルである場合、前記複数の画像データ間の関係を決定する決定工程と、
前記決定工程で決定された前記複数の画像データ間の関係を識別可能に前記画像データを含む複数の画像データに基づいてインデクス出力を行う出力工程と、を備えることを特徴とする画像出力方法。
【請求項２２】
複数の画像ファイルから得られる縮小画像を並べて出力するインデクス出力を行うことが可能であり、インデクス出力の対象となる複数の画像ファイルのうち、複数の画像データを含む第１の種類の画像ファイルに対して適用される、インデクス出力のための設定情報を記憶する設定情報記憶手段を有する画像出力装置に画像出力方法を実行させるための制御プログラムであって、前記画像出力方法は、
インデクス出力の対象となる画像ファイルが前記第１の種類の画像ファイルである場合、当該画像ファイルに含まれる前記複数の画像データから、前記設定情報に基づいて特定される画像データを選択する選択工程と、
前記選択工程で選択された画像データを含む複数の画像データに基づいてインデクス出力を行う出力工程と、を備えることを特徴とする制御プログラム。
【請求項２３】
複数の画像ファイルから得られる縮小画像を並べて出力するインデクス出力を行うことが可能な画像出力装置に画像出力方法を実行させるための制御プログラムであって、前記画像出力方法は、
インデクス出力の対象となる画像ファイルが複数の画像データを含む第１の種類の画像ファイルである場合、前記複数の画像データ間の関係を決定する決定工程と、
前記決定工程で決定された前記複数の画像データ間の関係を識別可能に前記画像データを含む複数の画像データに基づいてインデクス出力を行う出力工程と、を備えることを特徴とする制御プログラム。
【手続補正２】
【補正対象書類名】明細書
【補正対象項目名】０００９
【補正方法】変更
【補正の内容】
【０００９】
上記課題を解決するために、本発明の画像出力装置は複数の画像ファイルから得られる縮小画像を並べて出力するインデクス出力を行うことが可能な画像出力装置であって、インデクス出力の対象となる複数の画像ファイルのうち、複数の画像データを含む第１の種類の画像ファイルに対して適用される、インデクス出力のための設定情報を記憶する設定情報記憶手段と、インデクス出力の対象となる画像ファイルが前記第１の種類の画像ファイルである場合、当該画像ファイルに含まれる前記複数の画像データから、前記設定情報に基づいて特定される画像データを選択する選択手段と、前記選択手段が選択した画像データを含む複数の画像データに基づいてインデクス出力を行う出力手段と、を備えることを特徴とする。
【手続補正３】
【補正対象書類名】明細書
【補正対象項目名】００１１
【補正方法】変更
【補正の内容】
【００１１】
また、本発明の画像出力方法は、複数の画像ファイルから得られる縮小画像を並べて出力するインデクス出力を行うことが可能であり、インデクス出力の対象となる複数の画像ファイルのうち、複数の画像データを含む第１の種類の画像ファイルに対して適用される、インデクス出力のための設定情報を記憶する設定情報記憶手段を有する画像出力装置における画像出力方法であって、インデクス出力の対象となる画像ファイルが前記第１の種類の画像ファイルである場合、当該画像ファイルに含まれる前記複数の画像データから、前記設定情報に基づいて特定される画像データを選択する選択工程と、前記選択工程で選択された画像データを含む複数の画像データに基づいてインデクス出力を行う出力工程と、を備えることを特徴とする。